(57)【要約】【課題】省エネルギーモードから通常動作モードへ復帰する際の動作が不安定になるような事態を解消することのできる電気機器を提供することを目的としている。【解決手段】省エネルギーモードから通常動作モードへの復帰の際、電源発生ユニットから電源ＶＳが供給開始されることが原因となる突入電流は、遅延回路の動作により抑制されることとなり、その結果、電源ＶＥが不安定になるような事態を解消することができ、装置動作が不安定になるような事態を回避することができるという効果を得る。【選択図】          図２
2004282877.tif 000002
【特許請求の範囲】
【請求項１】
通常動作時には通常回路用電源を供給するとともに、省エネルギーモード時には上記通常回路用電源の供給を遮断するとともに省エネルギーモード用電源を所定の電源制御手段へ供給する電気機器において、
上記省エネルギーモード用電源を機器へ供給する第１のスイッチ回路と、
上記第１のスイッチ回路と上記機器との間に直列接続された遅延回路と、
上記遅延回路に並列接続されて上記遅延回路を短絡する第２のスイッチ回路を設け、
上記第２のスイッチ回路の機器側の接続端には、上記通常回路用電源が印加されるとともに、
上記電源制御手段は、省エネルギーモードが解除され、上記通常回路用電源の供給が開始された直後に、上記第１のスイッチをオンし、その時点から所定時間を経過した後に、上記第２のスイッチをオンすることを特徴とする電気機器。
【請求項２】
通常動作時には通常回路用電源を供給するとともに、省エネルギーモード時には上記通常回路用電源の供給を遮断するとともに省エネルギーモード用電源を所定の電源制御手段へ供給する電気機器において、
上記省エネルギーモード用電源を機器へ供給する第１のスイッチ回路と、
上記第１のスイッチ回路と上記機器との間に直列接続された遅延回路と、
上記遅延回路に並列接続されて上記遅延回路を短絡する第２のスイッチ回路を設け、
上記第２のスイッチ回路の機器側の接続端には、上記通常回路用電源が印加されるとともに、
上記電源制御手段は、省エネルギーモードが解除され、上記通常回路用電源の供給が開始された直後に、上記第１のスイッチをオンし、通常動作が開始されると、上記第２のスイッチをオンすることを特徴とする電気機器。
【請求項３】
通常動作時には通常回路用電源を供給するとともに、省エネルギーモード時には上記通常回路用電源の供給を遮断するとともに省エネルギーモード用電源を所定の電源制御手段へ供給する電気機器において、
上記省エネルギーモード用電源を機器へ供給する第１のスイッチ回路と、
上記省エネルギーモード用電源を所定の抵抗器を介して接地レベルへ接続する第２のスイッチ回路を設け、
上記第１のスイッチ回路の機器側の接続端には、上記通常回路用電源が印加されるとともに、
上記電源制御手段は、省エネルギーモードが解除され、上記通常回路用電源の供給が開始された直後に、上記第２のスイッチをオンし、次に、上記第１のスイッチをオンし、その時点から所定時間を経過した後に、上記第２のスイッチをオフすることを特徴とする電気機器。
【請求項４】
通常動作時には通常回路用電源を供給するとともに、省エネルギーモード時には上記通常回路用電源の供給を遮断するとともに省エネルギーモード用電源を所定の電源制御手段へ供給する電気機器において、
上記省エネルギーモード用電源を機器へ供給する第１のスイッチ回路と、
上記省エネルギーモード用電源を所定の抵抗器を介して接地レベルへ接続する第２のスイッチ回路を設け、
上記第１のスイッチ回路の機器側の接続端には、上記通常回路用電源が印加されるとともに、
上記電源制御手段は、省エネルギーモードが解除され、上記通常回路用電源の供給が開始された直後に、上記第２のスイッチをオンし、次に、上記第１のスイッチをオンし、通常動作が開始されると、上記第２のスイッチをオフすることを特徴とする電気機器。
【発明の詳細な説明】
【０００１】
【発明の属する技術分野】
本発明は、通常動作時には通常回路用電源を供給するとともに、省エネルギーモード時には上記通常回路用電源の供給を遮断するとともに省エネルギーモード用電源を所定の電源制御手段へ供給する電気機器に関する。
【０００２】
【従来の技術】
従来より、通常動作時には通常回路用電源を供給するとともに、省エネルギーモード時には上記通常回路用電源の供給を遮断するとともに省エネルギーモード用電源を所定の電源制御手段へ供給する電気機器が実用されている（特許文献１参照）。
【０００３】
【特許文献１】
特開平８−２５４９２２号
【０００４】
【発明が解決しようとする課題】
ところで、このような従来装置では、省エネルギーモードから通常動作モードへ復帰する際の突入電力により、省エネルギーモード用電源が電圧低下を起こすという事態を生じていた。
【０００５】
このような事態を生じると、省エネルギーモード用電源が供給されている装置要素、例えば、省エネルギーモード動作を制御するための電源制御手段等の動作が不安定になり、場合によっては、装置がリセットされるという事態を生じていた。
【０００６】
本発明は、かかる実情に鑑みてなされたものであり、省エネルギーモードから通常動作モードへ復帰する際の動作が不安定になるような事態を解消することのできる電気機器を提供することを目的としている。
【０００７】
【課題を解決するための手段】
本発明は、通常動作時には通常回路用電源を供給するとともに、省エネルギーモード時には上記通常回路用電源の供給を遮断するとともに省エネルギーモード用電源を所定の電源制御手段へ供給する電気機器において、上記省エネルギーモード用電源を機器へ供給する第１のスイッチ回路と、上記第１のスイッチ回路と上記機器との間に直列接続された遅延回路と、上記遅延回路に並列接続されて上記遅延回路を短絡する第２のスイッチ回路を設け、上記第２のスイッチ回路の機器側の接続端には、上記通常回路用電源が印加されるとともに、上記電源制御手段は、省エネルギーモードが解除され、上記通常回路用電源の供給が開始された直後に、上記第１のスイッチをオンし、その時点から所定時間を経過した後に、上記第２のスイッチをオンするようにしたものである。
【０００８】
また、通常動作時には通常回路用電源を供給するとともに、省エネルギーモード時には上記通常回路用電源の供給を遮断するとともに省エネルギーモード用電源を所定の電源制御手段へ供給する電気機器において、上記省エネルギーモード用電源を機器へ供給する第１のスイッチ回路と、上記第１のスイッチ回路と上記機器との間に直列接続された遅延回路と、上記遅延回路に並列接続されて上記遅延回路を短絡する第２のスイッチ回路を設け、上記第２のスイッチ回路の機器側の接続端には、上記通常回路用電源が印加されるとともに、上記電源制御手段は、省エネルギーモードが解除され、上記通常回路用電源の供給が開始された直後に、上記第１のスイッチをオンし、通常動作が開始されると、上記第２のスイッチをオンするようにしたものである。
【０００９】
また、通常動作時には通常回路用電源を供給するとともに、省エネルギーモード時には上記通常回路用電源の供給を遮断するとともに省エネルギーモード用電源を所定の電源制御手段へ供給する電気機器において、上記省エネルギーモード用電源を機器へ供給する第１のスイッチ回路と、上記省エネルギーモード用電源を所定の抵抗器を介して接地レベルへ接続する第２のスイッチ回路を設け、上記第１のスイッチ回路の機器側の接続端には、上記通常回路用電源が印加されるとともに、上記電源制御手段は、省エネルギーモードが解除され、上記通常回路用電源の供給が開始された直後に、上記第２のスイッチをオンし、次に、上記第１のスイッチをオンし、その時点から所定時間を経過した後に、上記第２のスイッチをオフするようにしたものである。
【００１０】
また、通常動作時には通常回路用電源を供給するとともに、省エネルギーモード時には上記通常回路用電源の供給を遮断するとともに省エネルギーモード用電源を所定の電源制御手段へ供給する電気機器において、上記省エネルギーモード用電源を機器へ供給する第１のスイッチ回路と、上記省エネルギーモード用電源を所定の抵抗器を介して接地レベルへ接続する第２のスイッチ回路を設け、上記第１のスイッチ回路の機器側の接続端には、上記通常回路用電源が印加されるとともに、上記電源制御手段は、省エネルギーモードが解除され、上記通常回路用電源の供給が開始された直後に、上記第２のスイッチをオンし、次に、上記第１のスイッチをオンし、通常動作が開始されると、上記第２のスイッチをオフするようにしたものである。
【００１１】
【発明の実施の形態】
以下、添付図面を参照しながら、本発明の実施の形態を詳細に説明する。
【００１２】
図１は、本発明の一実施例にかかるグループ３ファクシミリ装置を示している。
【００１３】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１４】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１５】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１６】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１７】
網制御装置１１は、このグループ３ファクシミリ装置をアナログ公衆網ＰＳＴＮに接続するためのものであり、自動発着信機能を備えている。
【００１８】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００１９】
また、網制御装置１１とグループ３ファクシミリモデム１０との間のデータのやりとりは、直接行なわれている。
【００２０】
また、電源供給ユニット１５は、常時は省エネルギーモード用の電源ＶＥを発生するとともに、通常動作モード時には通常動作モード用の電源ＶＳも発生するものであり、電源ＶＥは、ファクシミリ装置において、省エネルギーモードから通常動作モードへ復帰する各種条件等を検出するための装置要素（以下、「省エネ時オン要素」という）に供給され、また、電源ＶＳは、ファクシミリ装置において、上記省エネ時オン要素以外の装置要素（以下、「省エネ時オフ要素」という）に供給されている。
【００２１】
省エネ制御部１６は、ファクシミリ装置の省エネルギー動作を制御するものであり、ファクシミリ装置の各要素から、省エネ情報ＥＩを入力している。この省エネ情報ＥＩは、省エネルギーモード動作への移行条件の発生、および、省エネルギーモードから通常動作モードへの復帰条件の発生を通知するための各種の情報が含まれる。
【００２２】
そして、省エネ制御部１６は、省エネ情報ＥＩにより、通常動作モードから省エネルギーモードへの移行が指令されたことを検出すると、信号ＳＣにより、電源供給ユニット１５に対して、省エネルギーモードを通知する。
【００２３】
これにより、電源供給ユニット１５からは、電源ＶＥのみが出力されて、省エネ時オン要素に供給され、それ以降は、ファクシミリ装置では、省エネルギーモードの動作が行われる。
【００２４】
そして、省エネ制御部１６は、省エネ情報ＥＩにより、省エネルギーモードから通常動作モードへの復帰が要求されたことを検出すると、信号ＳＣにより、電源供給ユニット１５に対して、通常動作モードを通知するとともに、信号ＳＳ１，ＳＳ２をそれぞれ所定のタイミングで出力する（後述）。
【００２５】
これにより、電源供給ユニット１５からは、電源ＶＥおよび電源ＶＳが出力され、電源ＶＥは省エネ時オン要素に供給されるとともに、電源ＶＳは省エネ時オフ要素へ供給され、それ以降は、ファクシミリ装置では、通常動作モードの動作が行われる。
【００２６】
図２は、本発明の一実施例にかかる電源供給ユニット１５の構成を示している。
【００２７】
同図において、電源発生ユニット１５ａは、常時は、電源ＶＥを出力するとともに、省エネ制御部１６から加えられる信号ＳＣにより通常動作モードが通知されている場合には、電源ＶＳも出力する。
【００２８】
そして、電源ＶＥは、スイッチ回路を構成するＦＥＴ１５ｂ、および、所定の遅延時間が設定されている遅延回路１５ｃを介して、電源ＶＳの出力端へと接続される。また、遅延回路１５ｃには、スイッチ回路を構成するＦＥＴ１５ｄが並列接続されている。また、遅延回路１５ｃの出力端側には、電源発生ユニット１５ａから出力される電源ＶＳが加えられており、省エネ時オフ要素へ供給される。
【００２９】
また、電源ＶＥは、省エネ時オン要素へ供給される。
【００３０】
また、ＦＥＴ１５ｂおよびＦＥＴ１５ｄは、省エネ制御部１６より出力される信号ＳＳ１，ＳＳ２により、そのオンオフ動作が制御される。
【００３１】
以上の構成で、省エネモード時には、電源発生ユニット１５ａからは電源ＶＥのみが出力され、また、ＦＥＴ１５ａ，１５ｄは、ともにオフされている。
【００３２】
その状態では、省エネ制御部１６は、図３に示すように、省エネルギーモードから通常動作モードへの復帰が通知されることを監視しており（判断１０１のＮＯループ）、省エネルギーモードから通常動作モードへの復帰が通知されて判断１０１の結果がＹＥＳになると、信号ＳＳ１によりＦＥＴ１５ｂをオン動作する（処理１０２）。また、省エネ制御部１６は、信号ＳＣにより、省エネルギーモードから通常動作モードへの復帰を電源発生ユニット１５ａへ通知する。
【００３３】
それにより、ＦＥＴ１５ｂがオンして、電源ＶＥが遅延回路１５ｃへ供給され、遅延回路１５ｃに設定されている遅延時間を経過した後に、電源ＶＥは、電源ＶＳの出力端へと印加される。それとともに、電源発生ユニット１５ａは、電源ＶＳの出力を開始する。
【００３４】
一方、省エネ制御部１６は、ＦＥＴ１５ｂをオンした後に、規定時間が経過するまで待ち（判断１０３のＮＯループ）、判断１０３の結果がＹＥＳになると、信号ＳＳ２によりＦＥＴ１５ｄをオン動作する（処理１０４）。
【００３５】
それにより、ＦＥＴ１５ｄがオン動作し、遅延回路１５ｃを短絡するので、電源ＶＥは、ＦＥＴ１５ｄを介して、電源ＶＳの出力端へと印加される。
【００３６】
このようにして、本実施例では、省エネルギーモードから通常動作モードへの復帰の際、電源発生ユニット１５ａから電源ＶＳが供給開始されることが原因となる突入電流は、遅延回路１５ｃの動作により抑制されることとなり、その結果、電源ＶＥが不安定になるような事態を解消することができ、装置動作が不安定になるような事態を回避することができる。
【００３７】
図４は、省エネモード時に省エネ制御部１６が行っている処理の他の例を示している。
【００３８】
この場合、省エネ制御部１６は、省エネルギーモードから通常動作モードへの復帰が通知されることを監視しており（判断２０１のＮＯループ）、省エネルギーモードから通常動作モードへの復帰が通知されて判断２０１の結果がＹＥＳになると、信号ＳＳ１によりＦＥＴ１５ｂをオン動作する（処理２０２）。また、省エネ制御部１６は、信号ＳＣにより、省エネルギーモードから通常動作モードへの復帰を電源発生ユニット１５ａへ通知する。
【００３９】
それにより、ＦＥＴ１５ｂがオンして、電源ＶＥが遅延回路１５ｃへ供給され、遅延回路１５ｃに設定されている遅延時間を経過した後に、電源ＶＥは、電源ＶＳの出力端へと印加される。それとともに、電源発生ユニット１５ａは、電源ＶＳの出力を開始する。
【００４０】
一方、省エネ制御部１６は、ＦＥＴ１５ｂをオンした後に、省エネ時オフ要素が動作した旨が通知されるまで待ち（判断２０３のＮＯループ）、判断２０３の結果がＹＥＳになると、信号ＳＳ２によりＦＥＴ１５ｄをオン動作する（処理２０４）。
【００４１】
それにより、ＦＥＴ１５ｄがオン動作し、遅延回路１５ｃを短絡するので、電源ＶＥは、ＦＥＴ１５ｄを介して、電源ＶＳの出力端へと印加される。
【００４２】
このようにして、本実施例では、省エネルギーモードから通常動作モードへの復帰の際、電源発生ユニット１５ａから電源ＶＳが供給開始されることが原因となる突入電流は、遅延回路１５ｃの動作により抑制されることとなり、その結果、電源ＶＥが不安定になるような事態を解消することができ、装置動作が不安定になるような事態を回避することができる。
【００４３】
また、この場合には、実際に省エネ時オフ要素が起動した旨を確認した状態で、ＦＥＴ１５ｄのオン動作を行っているので、より安全性が高くなる。
【００４４】
図５は、本発明の他の実施例にかかる電源供給ユニット１５の構成を示している。なお、同図において、図２と同一部分および相当する部分には、同一符号を付している。
【００４５】
同図において、電源発生ユニット１５ａは、常時は、電源ＶＥを出力するとともに、省エネ制御部１６から加えられる信号ＳＣにより通常動作モードが通知されている場合には、電源ＶＳも出力する。
【００４６】
そして、電源ＶＥは、スイッチ回路を構成するＦＥＴ１５ｇを介して、電源ＶＳの出力端へと接続されとともに、抵抗器１５ｈ、および、スイッチ回路を構成するＦＥＴ１５ｊを介して、接地レベルへ接続される。また、ＦＥＴ１５ｇの出力端側には、電源発生ユニット１５ａから出力される電源ＶＳが加えられており、省エネ時オフ要素へ供給される。
【００４７】
また、電源ＶＥは、省エネ時オン要素へ供給される。
【００４８】
また、ＦＥＴ１５ｇおよびＦＥＴ１５ｊは、省エネ制御部１６より出力される信号ＳＳ１，ＳＳ２により、そのオンオフ動作が制御される。
【００４９】
以上の構成で、省エネモード時には、電源発生ユニット１５ａからは電源ＶＥのみが出力され、また、ＦＥＴ１５ｇ，１５ｊは、ともにオフされている。
【００５０】
その状態では、省エネ制御部１６は、図３に示すように、省エネルギーモードから通常動作モードへの復帰が通知されることを監視しており（判断３０１のＮＯループ）、省エネルギーモードから通常動作モードへの復帰が通知されて判断３０１の結果がＹＥＳになると、信号ＳＳ２によりＦＥＴ１５ｊをオン動作し（処理３０２）、信号ＳＳ１により、ＦＥＴ１５ｇをオン動作する（処理３０３）。また、省エネ制御部１６は、信号ＳＣにより、省エネルギーモードから通常動作モードへの復帰を電源発生ユニット１５ａへ通知する。
【００５１】
それにより、ＦＥＴ１５ｊがオンされ、抵抗器１５ｈを介して電源ＶＥが接地レベルへ接続された後に、ＦＥＴ１５ｇがオンされ、電源ＶＥは、電源ＶＳの出力端へと印加される。それとともに、電源発生ユニット１５ａは、電源ＶＳの出力を開始する。その結果、一定負荷が挿入された後に、突入電流が発生することとなるため、電源ＶＥの電圧低下を抑制することができる。
【００５２】
一方、省エネ制御部１６は、ＦＥＴ１５ｇをオンした後に、規定時間が経過するまで待ち（判断３０４のＮＯループ）、判断３０４の結果がＹＥＳになると、信号ＳＳ２によりＦＥＴ１５ｊをオフ動作する（処理３０５）。
【００５３】
それにより、ＦＥＴ１５ｊがオフ動作し、抵抗器１５ｈを介して電源ＶＥが接地レベルへ接続される回路がオフされるので、電源ＶＥの消費が制限される。
【００５４】
このようにして、本実施例では、省エネルギーモードから通常動作モードへの復帰の際、電源発生ユニット１５ａから電源ＶＳが供給開始されることが原因となる突入電流は、電源ＶＥを接地レベルに接続する抵抗器１５ｈの作用により抑制されることとなり、その結果、電源ＶＥが不安定になるような事態を解消することができ、装置動作が不安定になるような事態を回避することができる。
【００５５】
図７は、省エネモード時に省エネ制御部１６が行っている処理の他の例を示している。
【００５６】
まず、省エネ制御部１６は、省エネルギーモードから通常動作モードへの復帰が通知されることを監視しており（判断４０１のＮＯループ）、省エネルギーモードから通常動作モードへの復帰が通知されて判断４０１の結果がＹＥＳになると、信号ＳＳ２によりＦＥＴ１５ｊをオン動作し（処理４０２）、信号ＳＳ１により、ＦＥＴ１５ｇをオン動作する（処理４０３）。また、省エネ制御部１６は、信号ＳＣにより、省エネルギーモードから通常動作モードへの復帰を電源発生ユニット１５ａへ通知する。
【００５７】
それにより、ＦＥＴ１５ｊがオンされ、抵抗器１５ｈを介して電源ＶＥが接地レベルへ接続された後に、ＦＥＴ１５ｇがオンされ、電源ＶＥは、電源ＶＳの出力端へと印加される。それとともに、電源発生ユニット１５ａは、電源ＶＳの出力を開始する。その結果、一定負荷が挿入された後に、突入電流が発生することとなるため、電源ＶＥの電圧低下を抑制することができる。
【００５８】
一方、省エネ制御部１６は、ＦＥＴ１５ｇをオンした後に、省エネ時オフ要素が動作した旨が通知されるまで待ち（判断４０４のＮＯループ）、判断４０４の結果がＹＥＳになると、信号ＳＳ２によりＦＥＴ１５ｊをオフ動作する（処理４０５）。
【００５９】
それにより、ＦＥＴ１５ｊがオフ動作し、抵抗器１５ｈを介して電源ＶＥが接地レベルへ接続される回路がオフされるので、電源ＶＥの消費が制限される。
【００６０】
このようにして、本実施例では、省エネルギーモードから通常動作モードへの復帰の際、電源発生ユニット１５ａから電源ＶＳが供給開始されることが原因となる突入電流は、電源ＶＥを接地レベルに接続する抵抗器１５ｈの作用により抑制されることとなり、その結果、電源ＶＥが不安定になるような事態を解消することができ、装置動作が不安定になるような事態を回避することができる。
【００６１】
また、この場合には、実際に省エネ時オフ要素が起動した旨を確認した状態で、ＦＥＴ１５ｄのオン動作を行っているので、より安全性が高くなる。
【００６２】
なお、本発明は、上述したようなファクシミリ装置以外のものでも、省エネルギーモードを備えた電気機器であれば、同様にして適用することができる。
【００６３】
【発明の効果】
以上説明したように、本発明によれば、省エネルギーモードから通常動作モードへの復帰の際、電源発生ユニットから電源ＶＳが供給開始されることが原因となる突入電流は、遅延回路の動作により抑制されることとなり、その結果、電源ＶＥが不安定になるような事態を解消することができ、装置動作が不安定になるような事態を回避することができるという効果を得る。また、この場合には、実際に省エネ時オフ要素が起動した旨を確認した状態で、スイッチ回路のオン動作を行っているので、より安全性が高くなるという効果も得る。
【００６４】
また、省エネルギーモードから通常動作モードへの復帰の際、電源発生ユニットから電源ＶＳが供給開始されることが原因となる突入電流は、電源ＶＥを接地レベルに接続する抵抗器の作用により抑制されることとなり、その結果、電源ＶＥが不安定になるような事態を解消することができ、装置動作が不安定になるような事態を回避することができるという効果も得る。
【図面の簡単な説明】
【図１】本発明の一実施例にかかるグループ３ファクシミリ装置を示したブロック図。
【図２】本発明の一実施例にかかる電源供給ユニット１５の構成を示したブロック図。
【図３】省エネモード時に省エネ制御部１６が行っている処理の一例を示したフローチャート。
【図４】省エネモード時に省エネ制御部１６が行っている処理の他の例を示したフローチャート。
【図５】本発明の他の実施例にかかる電源供給ユニット１５の構成を示したブロック図。
【図６】省エネモード時に省エネ制御部１６が行っている処理の別な例を示したフローチャート。
【図７】省エネモード時に省エネ制御部１６が行っている処理のさらに別な例を示したフローチャート。
【符号の説明】
１  システム制御部
２  システムメモリ
３  パラメータメモリ
１５  電源供給ユニット
１６  省エネ制御部
【図１】
2004282877.tif 000003
【図２】
2004282877.tif 000004
【図３】
2004282877.tif 000005
【図４】
2004282877.tif 000006
【図５】
2004282877.tif 000007
【図６】
2004282877.tif 000008
【図７】
2004282877.tif 000009